(57)【要約】【課題】光源点灯装置において、人の存在の有無に応じて速やかにＬＥＤを所要の明るさで初期点灯させることができ、かつ、調光制御においても不自然さ緩和できる光源点灯装置を提供する。【解決手段】セレクタ回路８１は、交流電力の供給開始直後からの所定の期間である初期点灯期間Ｔにおいて、人感センサ６が人を検知すると初期点灯部８５１を選択して約５０％出力でＬＥＤを点灯し、人感センサ６が人を検知しないときにはフェードイン部８５２を選択してＬＥＤフェードイン点灯する。また、セレクタ回路８１は、初期点灯期間Ｔの経過後は、調光信号の入力が有る場合には調光指令部８６１を選択して調光信号に応じた出力でＬＥＤを点灯し、調光信号の入力が無い場合には全光点灯部８６２を選択して全光出力でＬＥＤを点灯させる。【選択図】図２
2013131310.tif 000002
【特許請求の範囲】
【請求項１】
交流電源から交流電力を入力すると共に、調光装置の出力する調光信号に応じた直流電力を前記交流電力から生成し、生成した前記直流電力を光源に出力して前記光源を点灯させる直流電源部と、
前記交流電力の供給開始直後からの所定の期間である初期点灯期間は、所定の検出対象を検出するセンサの検出結果に応じて前記直流電源部が前記光源に出力する前記直流電力の大きさを制御する第１出力制御を前記直流電源部に実行し、前記初期点灯期間の経過後は、前記調光信号の有無に応じて前記直流電源部が前記光源に出力する前記直流電力の大きさを制御する第２出力制御を前記直流電源部に実行する制御部と
を備えたことを特徴とする光源点灯装置。
【請求項２】
前記制御部は、
前記初期点灯期間が経過するまで前記センサが前記所定の検出対象を検出していると、前記第１出力制御として、前記センサに対応して予め設定されている前記直流電力の大きさの出力制御を前記直流電源部に実行することを特徴とする請求項１記載の光源点灯装置。
【請求項３】
前記センサは、
前記所定の検出対象として、人を検出する人感センサと、明るさを検出する明るさセンサとのいずれかであることを特徴とする請求項１または２のいずれかに記載の光源点灯装置。
【請求項４】
前記センサは、
前記人感センサであり、
前記制御部は
前記初期点灯期間が経過するまで前記人感センサが人の存在を検出していると、前記第１出力制御として、前記調光信号によって指示される光出力の低い側の下限の調光率に対応する前記直流電力よりも大きく、かつ、前記光源の全光出力に対応する前記直流電力よりも小さい略一定の前記直流電力を出力させる出力制御を、前記直流電源部に実行することを特徴とする請求項３記載の光源点灯装置。
【請求項５】
前記制御部は、
前記第１出力制御における略一定の前記直流電力を出力させる前記出力制御として、前記光源の全光出力に対応する前記直流電力の４０％以上６０％以下の範囲内の略一定の前記直流電力を前記直流電源部に出力させることを特徴とする請求項４記載の光源点灯装置。
【請求項６】
前記制御部は
前記人感センサが人の存在を検出しないと、前記第１出力制御として、所定の光出力に向かって徐々に前記光源の光出力が増大するフェードイン点灯を前記直流電源部に実行させることを特徴とする請求項４または５のいずれかに記載の光源点灯装置。
【請求項７】
前記制御部は
前記第１出力制御が実行される前記初期点灯期間中から前記調光装置によって前記調光信号が出力されていることを検出すると、前記初期点灯期間の経過後は検出した前記調光信号に対応する前記直流電力を前記光源に出力する制御を、前記第２出力制御として前記直流電源部に実行することを特徴とする請求項１〜６のいずれかに記載の光源点灯装置。
【請求項８】
前記制御部は
前記調光装置から前記調光信号が出力されていることを検出しない場合には、前記初期点灯期間の経過後は、予め設定された値の前記直流電力を前記光源に出力する制御を、前記第２出力制御として前記直流電源部に実行することを特徴とする請求項１〜７のいずれかに記載の光源点灯装置。
【請求項９】
前記光源点灯装置は、さらに、
前記光源の累積点灯時間を計測し記憶する累積点灯時間計測部を備え、
前記制御部は、
前記直流電源部の前記第１出力制御と、前記第２出力制御とを実行するときには、前記累積点灯時間計測部が記憶する前記累積点灯時間に基づいて、前記直流電源部が前記光源に出力する前記直流電力の大きさを補正することを特徴とする請求項１〜８のいずれかに記載の光源点灯装置。
【請求項１０】
請求項１〜９のいずれかに記載の光源点灯装置を備えた照明器具。
【発明の詳細な説明】
【技術分野】
【０００１】
この発明は、発光ダイオード（以下ＬＥＤと称する）等の光源を点灯する光源点灯装置、およびこれを用いた照明器具に関する。
【背景技術】
【０００２】
ＬＥＤを点灯する装置は交流電源から生成した直流を直流電源装置を用いて負荷のＬＥＤに電流を供給する装置が一般に知られており、さらにそのＬＥＤの電力（電流）を制御することによる調光に関する技術がある（例えば、特許文献１参照）。特許文献１の［００１９］〜［００２５］にかけての図３の説明がある。この説明のように構成された装置において調光操作部３４及び照明器具の電源が投入されると、所定時間Ｔまでは図４の（ｄ）の基準信号Ｖｒｅｆが制御信号となり（ｅ）のＶｃｏｎｔとして入力される。このときＶｒｅｆとしてＬＥＤを最小光量になるように設定してあれば所定期間Ｔの経過までは最小光量で点灯或いは消灯させておくことができる。照明器具として調光信号が入力されない状態では全光状態になるようにしたものでは、電源を投入した時に一瞬だけ全光状態で点灯し、その後に調光指令値の調光状態になるという不自然さが起きる可能性があるが、特許文献１は、この不自然さを解消しようとするものである。
【先行技術文献】
【特許文献】
【０００３】
【特許文献１】特開２００９−２３２６２５号公報（図３、図４参照。）
【発明の概要】
【発明が解決しようとする課題】
【０００４】
しかしながら、従来（特許文献１）の装置では確実に動作させるための「所定時間Ｔ」を長い場合、使用者に、「ＬＥＤでありながらなかなか明るくならない、あるいは発光するまでに時間を要する」などと思われかねないという課題があった。
【０００５】
本発明の光源点灯装置は、例えば人の存在の有無に応じて速やかにＬＥＤを所要の明るさで点灯させることができ、かつ、調光制御においても不自然さを緩和できる装置の提供を目的とする。
【課題を解決するための手段】
【０００６】
この発明の光源点灯装置は、
交流電源から交流電力を入力すると共に、調光装置の出力する調光信号に応じた直流電力を前記交流電力から生成し、生成した前記直流電力を光源に出力して前記光源を点灯させる直流電源部と、
前記交流電力の供給開始直後からの所定の期間である初期点灯期間は、所定の検出対象を検出するセンサの検出結果に応じて前記直流電源部が前記光源に出力する前記直流電力の大きさを制御する第１出力制御を前記直流電源部に実行し、前記初期点灯期間の経過後は、前記調光信号の有無に応じて前記直流電源部が前記光源に出力する前記直流電力の大きさを制御する第２出力制御を前記直流電源部に実行する制御部と
を備えたことを特徴とする。
【発明の効果】
【０００７】
本発明の光源点灯装置によれば、例えばセンサの検出結果に応じてＬＥＤを適切な明るさで初期点灯させることができるので、初期点灯時の不自然さ緩和できる光源点灯装置を提供できる。
【図面の簡単な説明】
【０００８】
【図１】実施の形態１のＬＥＤ点灯装置１００の回路構成図。
【図２】実施の形態１の出力信号部８の回路構成図。
【図３】実施の形態１のＬＥＤ点灯装置１００の動作の説明のための図。
【図４】実施の形態１のＬＥＤ点灯装置１００の動作の説明のための図。
【図５】実施の形態１のＬＥＤ点灯装置１００の動作の説明のための図。
【図６】実施の形態１のＬＥＤ点灯装置１００の動作の説明のための図。
【図７】実施の形態１のＬＥＤ点灯装置１００の動作のタイプを示す図。
【図８】図７の動作を示すフローチャート。
【図９】実施の形態２のＬＥＤ点灯装置２００の回路構成図。
【発明を実施するための形態】
【０００９】
実施の形態１．
図１は、実施の形態１のＬＥＤ点灯装置１００の回路構成を示す。ＬＥＤ点灯装置１００は、電力供給部２（直流電源部）と制御回路３（制御部）とを備えている。電力供給部２はＬＥＤ４に直流電流を流して点灯する。ＬＥＤ４は通常は複数のＬＥＤの直列体、或いはそれをさらに並列にするなどのＬＥＤモジュールである。電力供給部２と制御回路３とは、バックコンバータやフライバックコンバータなどの直流電源を構成する要素である。バックコンバータやフライバックコンバータなどの直流電源をＬＥＤに直流電力を供給する点灯装置として使用したり、或いはその出力電流を制御するなどして調光する技術は種々の文献等に開示されているので、ここでは詳細な説明は省略する。
【００１０】
電力供給部２は、交流電源１から交流電力を入力すると共に、調光装置５の出力する調光信号に応じた直流電力を交流電力から生成し、生成した直流電力を光源であるＬＥＤ４に出力してＬＥＤ４を点灯させる。制御回路３は、外部信号入力部７と出力信号部８とを備えている。この出力信号部８がＬＥＤ点灯装置１００の特徴的な構成要素である。
（１）外部信号入力部７は、調光信号を出力する調光装置５や検知信号を出力するセンサ６から、これらの信号を制御回路３に入力するためのインターフェイスである。なお、以下ではセンサ６は、人の存在を検出する人感センサを例に説明するが、これは一例である。センサ６は、所定の検出対象を検出するセンサでよい。センサの種類は、ＬＥＤ点灯装置１００の使用目的に応じて決めればよい。例えば、明るさを検出する明るさセンサでもよい。
（２）出力信号部８は、電力供給部２がＬＥＤ４に所与の電力または電流を供給するための信号を生成する。
【００１１】
（出力信号部８の構成）
図２は、出力信号部８の構成の一例を示す。出力信号部８は、外部信号入力部７からの信号を入力するセレクタ回路８１、第１点灯制御部８５、第２点灯制御部８６、電力供給信号部８７を備えている。第１点灯制御部８５は、初期点灯部８５１、フェードイン部８５２を備える。第２点灯制御部８６は、調光指令部８６１、全光点灯部８６２を備える。
セレクタ回路８１は、後述する「初期点灯期間Ｔ（時刻ｔ０〜ｔ１）」には初期点灯部８５１とフェードイン部８５２とのうちの一方を選択し、調光点灯期間（時刻ｔ１以降）には調光指令部８６１と全光点灯部８６２とのうちの一方を選択する。
【００１２】
（１）初期点灯部８５１に対して、後述する図３〜図６に示す時刻ｔ１（初期点灯期間Ｔの終了時）におけるＬＥＤの出力設定を行う。この出力設定は、例えば工場での製造時に行う。初期点灯部８５１は、セレクタ回路８１に選択された場合、全光点灯（１００％出力）に対して約５０％程度の出力に電力供給部２を制御する信号を電力供給信号部８７に出力する。図３〜図６に記載している時刻の記号の説明、及び以下で使用する用語を定義しておく。
＜時刻ｔ０＞：交流電源１が投入された時刻である。出力信号部８は、従来の交流電源検出手段によって、交流電源１（交流電力）が投入された時刻ｔ０を知ることができる。
また、出力信号部８は時刻ｔ０から後述の初期点灯期間Ｔの経過を計測する時計機能を有する。
＜時刻ｔ１＞：時刻ｔ０から所定の期間Ｔ（後述の初期点灯期間Ｔ）の経過後の時刻である。この初期点灯期間Ｔは、予め出力信号部８に設定される。
＜初期点灯期間Ｔ＞：時刻ｔ０〜時刻ｔ１までを「初期点灯期間Ｔ」と呼ぶ。ＬＥＤ点灯装置１００は、この初期点灯期間ＴにおけるＬＥＤ４の点灯状態を、センサ６の検出信号に基づいて制御することが特徴である。つまり、詳細は後述するが、制御回路３のセレクタ回路８１は、交流電力の供給開始直後からの所定の期間である初期点灯期間Ｔの間は、人（所定の検出対象の一例）を検出するセンサ６の検出結果に応じて、電力供給部２がＬＥＤ４に出力する直流電力の大きさを制御（第１出力制御）する。
＜調光点灯期間＞：時刻ｔ１以降を「調光点灯期間」と呼ぶ。時刻ｔ１以降はＬＥＤを調光制御することを想定しているからである。なお後述のように調光点灯期間は調光信号が入力されない場合もある。つまり制御回路３のセレクタ回路８１は、初期点灯期間Ｔの経過後は、調光信号の有無に応じて電力供給部２がＬＥＤ４に出力する直流電力の大きさを制御（第２出力制御）する。
（２）フェードイン部８５２は、セレクタ回路８１に選択された場合、初期点灯部８５１の設定した時刻ｔ１の出力（初期点灯値）に向かって、徐々にＬＥＤの出力を増加させる制御信号を電力供給信号部８７に出力する。
（３）調光指令部８６１は、セレクタ回路８１に選択された場合、調光装置５からの調光度信号に基づき、時刻ｔ１以降はＬＥＤをその調光度信号にてＬＥＤを点灯させる制御信号を電力供給信号部８７に出力する。
（４）全光点灯部８６２は、セレクタ回路８１に選択された場合、ＬＥＤを全光点灯する制御信号を電力供給信号部８７に出力する。
（５）電力供給信号部８７は、初期点灯部８５１等から出力された制御信号を電力供給部２に出力する。
【００１３】
以上のように構成された図１のＬＥＤ点灯装置１００において、先ず交流電源１が投入（時刻ｔ０；図３等）された後の時刻ｔ１以降の定常状態について説明する。
【００１４】
交流電源１を整流した（整流部は図示せず）直流電力は、周知の動作であるバックコンバータなどの直流電源である電力供給部２のスイッチング素子（図示せず）の動作により、ＬＥＤ４を点灯する。電力供給部２は調光装置５の調光信号に応じて、そのスイッチング動作を制御しＬＥＤへ供給する電流値を変更制御して調光を行うが、以下の動作である。外部信号入力部７が調光装置５の調光信号を入力し、出力信号部８に出力する。出力信号部８のセレクタ回路８１は調光信号を入力すると調光指令部８６１を選択して調光信号を調光指令部８６１に出力する。調光指令部８６１はその調光度信号にてＬＥＤを点灯させる制御信号を電力供給信号部８７に出力し、電力供給信号部８７が制御信号を電力供給部２に出力する。
【００１５】
図７、図８を参照して、初期点灯期間Ｔ、調光点灯期間の制御を説明する。図７は、タイプ１〜４の制御を示す。
図８は、出力信号部８の動作を示すフローチャートである。このフローチャートを参照して、以下のタイプ１〜４を説明する。図７は、図８のＳ１０１，Ｓ１０３において、「有り」、「無し」からできる４通りの組合せの表である。つまり制御回路３は、Ｓ１０１のセンサ信号の有無で初期点灯期間Ｔの制御を決定し、Ｓ１０３の調光信号の有無で調光点灯期間の制御を決定する。図７はこのことを示す表である。表に示すようにセンサ入力の有無はフェードイン制御の有無に一致するから、結局、表は、センサ入力の有無と、調光信号入力の有無（あれば調光信号対応値、なければ全光）との組合せの４通り（４つのタイプ）となる。図８のフローチャートは、初期点灯期間Ｔでは、セレクタ回路８１が、センサ信号の有無（人の検知の有無）により初期点灯部８５１、フェードイン部８５２のいずれか一方を選択し、調光点灯期間では、セレクタ回路８１が、調光信号の有無により、調光指令部８６１，全光点灯部８６２のいずれか一方を選択することを示している。
【００１６】
＜タイプ１＞
次に交流電源１の投入（時刻ｔ０）から動作の様子を説明する。ここでは図７の組み合わせにおいて、最上段のタイプ１を説明する。タイプ１は、図３が対応する。図３の「タイプ１」はＳ１０１で「有り」、かつ、Ｓ１０３で「有り」の場合である。この状態はセンサ６が人感センサであり人の存在を検知した場合である。また調光装置５は、例えば調光度７０％で点灯するよう信号を発生しているものする。
図３において、
（ａ）は、時刻ｔ０において交流電源１が投入されたことを示す。
（ｂ）は、ＬＥＤの出力の大きさを概念的に示す。
図３の横軸は時間軸を表す。
【００１７】
（初期点灯期間Ｔ）
時刻ｔ０において交流電源が投入されると、図２の電力供給部２が動作を開始しＬＥＤ４を点灯する。このとき出力信号部８のセレクタ回路８１は、センサ６からの検知信号あるので初期点灯部８５１を選択し（Ｓ１０１，Ｓ１０２）、初期点灯部８５１によって電力供給部２を時刻ｔ１まで動作させ、図３のように、約５０％の出力でＬＥＤを点灯させる。
【００１８】
なお、センサ６が人を検出しているときに約５０％の出力でＬＥＤを点灯させることは、センサ６に対応して予め設定されている直流電力の大きさの出力制御の一例である。これとは異なる出力制御を設定してもよいのはもちろんである。またセンサ６を人感センサとするのは一例であり、検出対象は人に限らず、所定の検出対象でよい。つまり、セレクタ回路８１は、初期点灯期間Ｔが経過するまでセンサ６がその検出対象を検出している場合に、出力制御として、センサ６に対応して予め設定されている直流電力の大きさの出力制御（初期点灯部８５１のような機能部を設ける）を電力供給部２に実行する構成でもよい。
【００１９】
（調光点灯期間）
時刻ｔ１に達するとセレクタ回路８１は、調光装置５から調光度７０％の調光信号が送信されているので調光指令部８６１を選択する（Ｓ１０３、Ｓ１０４）。調光指令部８６１は、調光装置５の出力中の指令値に従って、７０％にてＬＥＤ４を点灯させるべく電力供給部２の出力を増加する制御信号を、電力供給信号部８７を介して電力供給部２に出力する。調光指令部８６１は、以後は調光装置５の調光信号が変化するまでこの状態を維持する（Ｓ１０５）。図３において、時刻ｔ０から時刻ｔ１までの点灯状態が約５０％の出力であり、時刻ｔ１以後の点灯出力（７０％調光）と極端な差異がないので、使用者（センサ６が検出済）に光出力の急変で違和感を与えることが少ない。これは調光装置５の信号が例えば２５％のように時刻ｔ１までの設定である５０％出力よりも低い場合でも同様の効果である。
【００２０】
（初期点灯期間Ｔの一定出力値）
さらに人感センサ６が感知して信号を発生している状態は人の存在を意味するから、視認性を考慮すれば出来るだけ速やかにＬＥＤ４を点灯し、かつ必要な明るさとすることは快適な照明環境に寄与するといえる。上記の例では初期点灯部８５１は、時刻ｔ１近傍で約５０％の出力としたが、視認性に違和感の無い出力範囲としては４０％〜６０％程度が適切である。つまり、初期点灯部８５１に動作させる場合、時刻ｔ１付近では、４０％〜６０％程度が適切であり、上記の例５０％は一例である。つまりセレクタ回路８１は、初期点灯期間Ｔが経過するまでセンサ６が人の存在を検出していると、初期点灯部８５１を選択することによって、出力制御として、調光信号によって指示される調光可能範囲のうち光出力の低い側の下限の調光率（例えば５％）に対応する直流電力よりも大きく、かつ、ＬＥＤの全光出力（１００％出力）に対応する直流電力よりも小さい４０％〜６０％の間の略一定の直流電力（例えば５０％出力）を出力させる出力制御を、電力供給部２に実行する。
【００２１】
また、この時刻ｔ１までの初期点灯状態（上記の例では５０％）の出力を極端に低く設定すると、交流電源側から見て、負荷電力が非常に少ないことになる。これは直流電源の安定な動作を損なう恐れがある。特に直流電源（電力供給部２）が交流電源１の出力を整流昇圧した直流電圧発生装置（力率改善回路）を用いる場合には、例えば最小光量で点灯維持させようとすると、力率改善回路の出力電力が定格負荷に比較して非常に少ない電力で動作することになる。そのため出力制御が不安定になり負荷のＬＥＤがちらついたりするなどの不都合が生じる場合がある。これに対して本実施の形態１のＬＥＤ点灯装置のように、少なくとも時刻ｔ１近傍ではその調光可能範囲の下限側よりも大きな出力（全光の４０％〜６０％）まで立ちあげるので、このような不安定を防止できる。
【００２２】
＜タイプ２＞
次に、図７のタイプ２の動作を説明する。タイプ２の動作は図４である。「タイプ２」はＳ１０１で「有り」、かつ、Ｓ１０３で「無し」の場合である。図４は表の２行目に記すように、センサ６は人体を感知し（信号有り）、調光装置５からは信号の無い状態或いは調光装置５が接続されて無い状態である。なお図４〜図６において縦軸、横軸は図３の説明と同様の意味である。
【００２３】
（初期点灯時間Ｔ）
初期点灯期間Ｔについは、タイプ１と同一の制御である。この場合も時刻ｔ０において交流電源１が投入されると直流電源（電力供給部２）が動作を開始しＬＥＤ４を点灯する。このとき出力信号部８のセレクタ回路８１は最初に初期点灯部８５１の信号を選択し電力供給部２を動作させる（Ｓ１０１、Ｓ１０２））。そしてセンサ６からの信号があるのでフェードイン部８５２は選択せず、図４の時刻ｔ１までは約５０％（前記の４０％〜６０％の例として５０％とした）の出力でＬＥＤ４を点灯する。つまり、時刻ｔ１まで、初期点灯部８５１が電力供給部２を約５０％の出力でＬＥＤを点灯するように制御する。
【００２４】
（調光点灯期間）
時刻ｔ１に達すると、調光装置５からの信号がないので、全光状態で点灯する。つまり、セレクタ回路８１は、時刻ｔ１において、全光点灯部８６２を選択し（Ｓ１０３，Ｓ１０７）、全光点灯部８６２は、電力供給信号部８７を介して、電力供給部２に対して全光状態の制御を行う。このＬＥＤ点灯装置１００では調光信号が無い場合には全光点灯しているが、一例であり、調光信号がない場合の出力は自由に設定してよい。
【００２５】
＜タイプ３＞
次に、図７のタイプ３の動作を説明する。タイプ２の動作は図５である。「タイプ１」は、Ｓ１０１で「なし」、かつ、Ｓ１０３で「あり」の場合である。図７は表の３行目に記すように、センサ６は感知しておらず（信号無し）、調光装置５からは例えば３０％の調光指令信号が来ているものとする。
【００２６】
（初期点灯期間Ｔ）
この場合も時刻ｔ０において交流電源１が投入されると電力供給部２が動作を開始しＬＥＤ４を点灯させようとする。このとき出力信号部８のセレクタ回路８１はセンサ信号が無いので、フェードイン部８５２を選択して動作させる（Ｓ１０１、Ｓ１０６）。よってＬＥＤ４は、その出力が図５の如く徐々に増加していく。そしてフェードインモードにおける初期点灯値１０１に達すると、その状態で時刻ｔ１に至る。
【００２７】
（調光点灯期間）
時刻ｔ１に達すると、セレクタ回路８１は調光指令部８６１に切り替え（Ｓ１０３、Ｓ１０７）、調光指令部８６１は、調光装置５からの信号により、３０％の出力で点灯維持する。これは調光率は異なるが制御はタイプ１と同じである。タイプ３ではセンサ６からの入力がない場合にフェードインとすることで、ＬＥＤ４の点灯開始時の照明雰囲気を穏やかなものに出来る。初期点灯値１０１から時刻ｔ１以後は出力が低下するが、その出力の差異が比較的少ないので、電源投入時近傍での不自然な明るさ変化は避けられる。
【００２８】
＜タイプ４＞
次に、図７のタイプ４の動作を説明する。タイプ２の動作は図６である。
図７の「タイプ４」はＳ１０１で「なし」、かつ、Ｓ１０３で「なし」の場合である。
図７は表の４行目に記すように、センサ６は感知しておらず（信号無し）、調光装置５からも調光信号が無い。センサ信号「なし」なので、初期点灯期間Ｔの動作はタイプ３と同じである。
【００２９】
（初期点灯期間Ｔ）
つまり時刻ｔ０において交流電源１が投入されると電力供給部２が動作を開始しＬＥＤ４を点灯させようとする。出力信号部８のセレクタ回路８１はセンサ信号が無いので、フェードイン部８５２を動作させる（Ｓ１０１，Ｓ１０６）。よってＬＥＤはその出力が図６の如く徐々に増加していく。そして初期点灯値（約５０％）に達すると、その状態で時刻ｔ１に至る。
【００３０】
（調光点灯期間）
時刻ｔ１に達すると、セレクタ回路８１はフェードイン部８５２を全光点灯部８６２に切り替え、全光点灯部８６２は、調光装置５からの信号がないので全光出力で点灯維持する（Ｓ１０３，Ｓ１０７）。このように本実施の形態１のＬＥＤ点灯装置１００は、センサ（人感なし）や調光装置（調光信号なし）と組み合わせることなく単独の機器として使用する場合にもなんら不都合を生じない。
【００３１】
以上の実施の形態１のＬＥＤ点灯装置１００は、センサ信号の有無によって初期点灯期間Ｔの光源の光出力を制御し、初期点灯期間Ｔ経過後は調光信号の有無によって光源の光出力を制御するので、調光制御においても交流電源の投入時における光源の明るさの不自然さ緩和できる装置を提供できる。実施の形態１のＬＥＤ点灯装置１００では、人感センサなどのセンサ信号に応動して点灯開始後すぐにＬＥＤを適切な明るさにし、その後に指令値の明るさに移行させるので、交流電源の投入時における光源の明るさの不自然さ緩和できる。センサ信号が無く調光信号が入力される場合には点灯開始から徐々に明るくするフェードインで所定値の光出力とするので、その後の調光指令値の出力との違和感を少なくできる。
【００３２】
実施の形態２．
次に実施の形態２のＬＥＤ点灯装置２００を説明する。
図９は、実施の形態２のＬＥＤ点灯装置２００のブロック図である。ＬＥＤ点灯装置２００には図１のＬＥＤ点灯装置１００に対して、点灯時間タイマ９を加えた。ＬＥＤ点灯装置２００においても基本的な動作は図１と同様にしてＬＥＤを点灯する。
【００３３】
（点灯時間タイマ９）
加えて、点灯時間タイマ９は、ＬＥＤ点灯装置２００が動作している累積の点灯時間を、内蔵したマイクロコンピュータ等（図示せず）で積算し、不揮性メモリに記憶する。この積算時間により、予め設定・内蔵した出力調整値（補正値）により出力信号部８の出力信号を変化させる（補正する）。このためＬＥＤ点灯装置２００を使用した照明器具での経年変化による光出力の減少（照明器具の汚れや、ＬＥＤの光束低下）を補正することができる。よって、使用期間中に適切な明るさを供給できる照明器具を実現する。例えば、使用開始時は全光状態をその実力（定格値）の８５％に設定し、使用時間が長くなるにつれてその出力電流（電力）を定格値に近づけることでよい。累積点灯時間と前記の８５％等の補正値との、照度補正の対応テーブルをマイコンにもたせればよい。
【００３４】
一例として、図２の初期点灯部８５１を全光の４０〜６０％の出力に設定したとすると、使用開始時にはその出力は０．８５倍となるので、その時点の定格の約３４〜５１％（４０％×０．８５＝３４％）となる。このＬＥＤ点灯装置２００の使用開始時の全光に対する上記の８５％等の出力比は、照明器具の保守率やＬＥＤの高温度での劣化などの要素で決定するが、８０〜９０％程度が妥当である。上記の照度補正の対応テーブルには、使用開始時（０時間）を８０〜９０％程度とし、累積点灯時間が増加するにつれ１００％に向けて大きくしていく。また実施の形態１で述べたように制御回路３（電力供給信号部８７）は電力供給部２に制御信号を出力するが、制御回路３（電力供給信号部８７）が電力供給部２に出力する信号の形態は、電力供給部２の回路構成に応じて決めればよい。電力供給部２はバックコンバータやフライバックコンバータ以外でもＬＥＤに所定の直流電流を供給できるように定電流的な出力特性を有するものが利用できる。
【００３５】
（初期点灯期間Ｔの長さ）
交流電源１の投入（時刻ｔ０）から時刻ｔ１に至るまでの時間（初期点灯期間Ｔ）は、略１〜２秒程度がよい。以上の実施の形態では、時刻ｔ１時を経過後にもＬＥＤの出力が違和感あるほど急変しないので比較的長い、略２秒程度が好適である。また、フェードイン動作する場合の初期点灯状態出力（初期点灯値１０１）に達するまでの時間は約１．５秒以下が好ましい。
【００３６】
ＬＥＤ４を点灯する直流電源（電力供給部２）の動作立ち上がり時間とセンサ信号の動作立ち上がり時間とでは後者の方が早いことが一般的である。しかし、これが逆の場合（センサ信号が送れる場合）には、フェードイン動作を行っている途中でセンサ信号が入力される。その場合はセレクタ回路８１は、センサ信号が入力され次第、フェードイン動作を停止して図３、図４のように、出力を例えば５０％（タイプ１の例）に立ち上げる。つまり、セレクタ回路８１は、フェードイン部８５２から初期点灯部８５１に切り替える。
【００３７】
（センサ６）
以上の実施の形態では、センサ６としては人感センサを使用する場合について説明したが、明るさセンサであってもよい。明るさセンサの検出値（検出した明るさ）の度合いに応じて、制御回路３が電力供給部２を制御する構成でもよい。つまりセンサ６は、所定の検出対象として、ＬＥＤ点灯装置が使用される照明器具によって照らされる空間、あるいは空間周辺の人や、明るさ検出する人感センサ、明るさセンサ等でもよい。
【００３８】
以上の実施の形態では、センサ６としては人感センサを使用する場合について説明したが、以下の様なセンサの利用法でもよい。例えば明るさセンサを使用する。明るさセンサの信号を調光装置５に入力し、これによって調光装置５の信号を設定してもよい。
またセンサや調光装置の接続の有無を、例えば機械的な接続であるコネクタ（図示せず）の挿入有無を制御回路３の外部信号入力部７で判断してもよい。このように判断することで、セレクタ回路８１の切り替え動作をさらに確実にすることが出来る。
【００３９】
以上のように上記実施の形態のＬＥＤ点灯装置１００、２００では、センサ信号が入力された時は、速やかにＬＥＤを所要の明るさで点灯することができる。またセンサ信号が無い時にはフェードイン動作で点灯開始させることで、穏やかな視環境を提供できる。さらに、センサや調光装置なしでＬＥＤ点灯装置１００，２００を使用した時にも、フェードイン動作で点灯開始時に穏やかな視環境とすることができる。ＬＥＤ点灯装置２００ではこのように点灯時間タイマ９を備えたので、長期間にわたり安定な出力を得ることが出来る。つまり、ＬＥＤ点灯装置２００では、この点灯装置を使用した照明器具での経年変化による光出力の減少（照明器具の汚れや、ＬＥＤの光束低下）を補正することができ、使用期間中に適切な明るさを供給できる照明器具を実現することが出来る。
【符号の説明】
【００４０】
１  交流電源、２  電力供給部、３  制御回路、４  ＬＥＤ、５  調光装置、６  センサ、７  外部信号入力部、８  出力信号部、９  点灯時間タイマ、８０  セレクタ回路、８７  電力供給信号部、１００，２００  ＬＥＤ点灯装置、１０１  初期点灯値、８５０  第１点灯制御部、８５１  初期点灯部、８５２  フェードイン部、８６０  第２点灯制御部、８６１  調光指令部、８６２  全光点灯部。
【図１】
2013131310.tif 000003
【図２】
2013131310.tif 000004
【図３】
2013131310.tif 000005
【図４】
2013131310.tif 000006
【図５】
2013131310.tif 000007
【図６】
2013131310.tif 000008
【図７】
2013131310.tif 000009
【図８】
2013131310.tif 000010
【図９】
2013131310.tif 000011